(57)【特許請求の範囲】
【請求項１】
カラー検出手段が設けられた本体側筐体と、当該本体側筐体に対して開閉可能に設けられ、閉じられたときに前記カラー検出手段に対向する側に表示デバイスが設けられたディスプレイ側筐体と、を備え、前記ディスプレイ側筐体が閉じられた場合に省電力状態に移行する情報処理装置において、
前記表示デバイスにカラーパターンを表示して、前記カラー検出手段の当該カラーパターンの検出結果に基づいて、前記表示デバイスのカラーキャリブレーションを実行するキャリブレーション実行手段と、
ユーザにより前記ディスプレイ側筐体が閉じられた際に、前記キャリブレーション実行手段を自動的に起動して、前記カラーキャリブレーションを実行させるキャリブレーション実行指示手段と、
前記キャリブレーション実行手段のカラーキャリブレーションが終了した場合に、前記情報処理装置を省電力状態に移行させる制御手段と、
を備えたことを特徴とする情報処理装置。  
【請求項２】
前記キャリブレーション実行指示手段は、前記情報処理装置がＡＣ駆動またはバッテリ駆動で充電率が所定量以上の場合に、前記キャリブレーション実行手段を起動して、前記カラーキャリブレーションを実行させることを特徴とする請求項１に記載の情報処理装置。  
【請求項３】
前記キャリブレーション実行指示手段は、前記情報処理装置の振動が検出されない場合に、前記キャリブレーション実行手段を起動して、前記カラーキャリブレーションを実行させることを特徴とする請求項１に記載の情報処理装置。  
【請求項４】
カラー検出手段が設けられた本体側筐体と、当該本体側筐体に対して開閉可能に設けられ、閉じられたときに前記カラー検出手段に対向する側に表示デバイスが設けられたディスプレイ側筐体と、を備え、前記ディスプレイ側筐体が閉じられた場合に省電力状態に移行する情報処理装置のキャリブレーション方法において、
キャリブレーション実行手段が、前記表示デバイスにカラーパターンを表示して、前記カラー検出手段の当該カラーパターンの検出結果に基づいて、前記表示デバイスのカラーキャリブレーションを実行する工程と、
キャリブレーション実行指示手段が、ユーザにより前記ディスプレイ側筐体が閉じられた際に、前記キャリブレーション実行手段を自動的に起動して、前記カラーキャリブレーションを実行させる工程と、
制御手段が、前記キャリブレーション実行手段のカラーキャリブレーションが終了した場合に、前記情報処理装置を省電力状態に移行させる工程と、
を含むことを特徴とするキャリブレーション方法。  
【発明の詳細な説明】
【技術分野】
【０００１】
本発明は、情報処理装置、キャリブレーション方法、およびコンピュータが実行可能なプログラムに関し、詳細には、ユーザを煩わせることなく、表示デバイスのカラーキャリブレーションを実行可能な情報処理装置、キャリブレーション方法、およびコンピュータが実行可能なプログラムに関する。
【背景技術】
【０００２】
ノート型ＰＣは、入力部が設けられた本体側筐体と、当該本体側筐体に対して開閉可能に設けられ、閉じられたときに入力部に対向する側に表示デバイスが設けられたディスプレイ側筐体とで構成されている。かかるノート型ＰＣでは、表示デバイスのカラーキャリブレーションを行うためのカラーキャリブレーション用プログラムや、本体側筐体にディスプレイ側筐体が閉じられた状態で、表示デバイスに表示されるカラーパターンを検出するためのカラーセンサを搭載したものもある（例えば、特許文献１、非特許文献１参照）。ユーザは、ノート型ＰＣが起動した状態にある場合に、手動でカラーキャリブレーション用プログラム（例えば、Ｘ−ｒｉｔｅ社のｈｕｅｙ−ｐｒｏ）をスタートさせた後、ディスプレイ側筐体を閉じる。カラーキャリブレーション用プログラムは、表示ディスプレイにカラーパターンを表示し、カラーセンサは、そのカラーパターンを検出する。
【０００３】
そして、カラーキャリブレーション用プログラムは、カラーセンサの検出結果に基づいて、表示ディスプレイのカラーキャリブレーション（色相、彩度、明度、輝度等の調整）を行う。これにより、ユーザは、カラー調整された表示ディスプレイの画像を見ることができる。
【０００４】
しかしながら、表示ディスプレイの適正なカラー表示を維持するために、カラーキャリブレーションを定期的に実行する必要があるが、カラーキャリブレーションの実行時間は数分必要となり、ユーザはその間、作業をできなくなるため、ユーザにとって煩わしいという問題がある。また、ユーザによっては、自己の作業を優先して、カラーキャリブレーションを実行しない場合があり、表示デバイスの適正なカラー表示を維持できない場合がある。
【先行技術文献】
【特許文献】
【０００５】
【特許文献１】米国特許第７３３９１５６号明細書
【非特許文献】
【０００６】
【非特許文献１】http://www.pantone.com/Pages/products/product.aspx?pid=562
【発明の概要】
【発明が解決しようとする課題】
【０００７】
本発明は、上記に鑑みてなされたものであり、ユーザを煩わせることなく、表示デバイスのカラーキャリブレーションを実行可能な情報処理装置、キャリブレーション方法、およびコンピュータが実行可能なプログラムを提供することを目的とする。
【課題を解決するための手段】
【０００８】
上述した課題を解決し、目的を達成するために、本発明は、カラー検出手段が設けられた本体側筐体と、当該本体側筐体に対して開閉可能に設けられ、閉じられたときに前記カラーセンサに対向する側に表示デバイスが設けられたディスプレイ側筐体と、を備え、前記ディスプレイ側筐体が閉じられた場合に省電力状態に移行する情報処理装置において、
前記表示デバイスにカラーパターンを表示して、前記カラー検出手段の当該カラーパターンの検出結果に基づいて、前記表示デバイスのカラーキャリブレーションを実行するキャリブレーション用アプリと、前記ディスプレイ側筐体が閉じられた状態にある場合に、前記キャリブレーション用アプリを起動して、前記カラーキャリブレーションを実行させるキャリブレーション実行指示手段と、前記キャリブレーション用アプリのカラーキャリブレーションが終了した場合に、前記情報処理装置を省電力状態に移行させる制御手段と、
を備えたことを特徴とする。
【０００９】
また、本発明の好ましい態様によれば、前記キャリブレーション実行指示手段は、ユーザにより、ディスプレイ側筐体が開いた状態から閉じられ際に、前記キャリブレーション用アプリを起動して、前記カラーキャリブレーションを実行させることが望ましい。
【００１０】
また、本発明の好ましい態様によれば、前記キャリブレーション実行指示手段は、ディスプレイ側筐体が閉じられた状態にある場合に、省電力状態から復帰して、設定されたスケジュールで前記キャリブレーション実行手段を起動して、前記カラーキャリブレーションを実行させることが望ましい。
【００１１】
また、本発明の好ましい態様によれば、前記キャリブレーション用アプリは、前記表示デバイスのカラーキャリブレーションを実行する前に、前記表示デバイスのウォームアップを行うことが望ましい。
【００１２】
また、本発明の好ましい態様によれば、前記キャリブレーション実行指示手段は、前記情報処理装置がＡＣ駆動またはバッテリ駆動で充電率が所定量以上の場合に、前記キャリブレーション用アプリを起動して、前記カラーキャリブレーションを実行させることが望ましい。
【００１３】
また、本発明の好ましい態様によれば、前記キャリブレーション実行指示手段は、前記情報処理装置の振動が検出されない場合に、前記キャリブレーション用アプリを起動して、前記カラーキャリブレーションを実行させることが望ましい。
【００１４】
また、上述した課題を解決し、目的を達成するために、本発明は、カラー検出手段が設けられた本体側筐体と、当該本体側筐体に対して開閉可能に設けられ、閉じられたときに前記カラーセンサに対向する側に表示デバイスが設けられたディスプレイ側筐体と、を備え、前記ディスプレイ側筐体が閉じられた場合に省電力状態に移行する情報処理装置のキャリブレーション方法において、キャリブレーション用アプリが、前記表示デバイスにカラーパターンを表示して、前記カラー検出手段の当該カラーパターンの検出結果に基づいて、前記表示デバイスのカラーキャリブレーションを実行する工程と、前記ディスプレイ側筐体が閉じられた状態にある場合に、前記キャリブレーション用アプリを起動して、前記カラーキャリブレーションを実行させる工程と、前記キャリブレーション用アプリのカラーキャリブレーションが終了した場合に、前記情報処理装置を省電力状態に移行させる工程と、を含むことが望ましい。
【００１５】
また、上述した課題を解決し、目的を達成するために、本発明は、カラー検出手段が設けられた本体側筐体と、当該本体側筐体に対して開閉可能に設けられ、閉じられたときに前記カラーセンサに対向する側に表示デバイスが設けられたディスプレイ側筐体と、を備え、前記ディスプレイ側筐体が閉じられた場合に省電力状態に移行する情報処理装置に搭載されるプログラムにおいて、キャリブレーション用アプリが、前記表示デバイスにカラーパターンを表示して、前記カラー検出手段の当該カラーパターンの検出結果に基づいて、前記表示デバイスのカラーキャリブレーションを実行する工程と、前記ディスプレイ側筐体が閉じられた状態にある場合に、キャリブレーション用アプリを起動して、前記表示デバイスの前記カラーキャリブレーションを実行させる工程と、前記カラーキャリブレーションでは、前記キャリブレーション用アプリが、前記表示デバイスにカラーパターンを表示して、前記カラー検出手段の当該カラーパターンの検出結果に基づいて、前記表示デバイスのカラーキャリブレーションを実行し、前記キャリブレーション用アプリのカラーキャリブレーションが終了した場合に、前記情報処理装置を省電力状態に移行させる工程と、を含むことを特徴とする。
【発明の効果】
【００１６】
本発明によれば、カラー検出手段が設けられた本体側筐体と、当該本体側筐体に対して開閉可能に設けられ、閉じられたときに前記カラーセンサに対向する側に表示デバイスが設けられたディスプレイ側筐体と、を備え、前記ディスプレイ側筐体が閉じられた場合に省電力状態に移行する情報処理装置において、前記表示デバイスにカラーパターンを表示して、前記カラー検出手段の当該カラーパターンの検出結果に基づいて、前記表示デバイスのカラーキャリブレーションを実行するキャリブレーション用アプリと、前記ディスプレイ側筐体が閉じられた状態にある場合に、前記キャリブレーション用アプリを起動して、前記カラーキャリブレーションを実行させるキャリブレーション実行指示手段と、前記キャリブレーション用アプリのカラーキャリブレーションが終了した場合に、前記情報処理装置を省電力状態に移行させる制御手段と、を備えているので、ユーザを煩わせることなく、表示デバイスのカラーキャリブレーションを実行可能な情報処理装置を提供することが可能になるという効果を奏する。
【図面の簡単な説明】
【００１７】
【図１】図１は、本発明の実施の形態１に係る情報処理装置を適用したノート型ＰＣの概略の外観図である。
【図２】図２は、図１のノート型ＰＣ１の概略のハードウェア構成例を示す図である。
【図３】図３は、表示デバイスのカラーキャリブレーションに関するノート型ＰＣ１の概略の機能構成を示す模式図である。
【図４】図４は、表示デバイスのカラーキャリブレーションを行う場合のユーザ操作を説明するための説明図である。
【図５】図５は、表示デバイスのカラーキャリブレーションの実行タイミングを説明するためのフローである。
【図６】図６は、実施の形態２に係る表示デバイスのカラーキャリブレーションを行う場合のユーザ操作を説明するための説明図である。
【図７】図７は、実施の形態２に係る表示デバイスのカラーキャリブレーションの実行タイミングを説明するためのフローである。
【発明を実施するための形態】
【００１８】
以下に、この発明につき図面を参照しつつ詳細に説明する。なお、この実施の形態によりこの発明が限定されるものではない。また、下記実施の形態における構成要素には、当業者が容易に想定できるものまたは実質的に同一のものが含まれる。
【００１９】
（実施の形態１）
図１は、本発明の実施の形態１に係る情報処理装置を適用したノート型ＰＣの概略の外観図であり、（ａ）は、ディスプレイ側筐体が開いている状態、（ｂ）は、ディスプレイ側筐体が閉じている状態を示している。
【００２０】
実施の形態１に係るノート型ＰＣ１は、図１に示すように、略直方体である本体側筐体２およびディスプレイ側筐体３を備えている。本体側筐体２およびディスプレイ側筐体３は、それぞれの端部で左右の一対の連結部（ヒンジ部）７ａ、７ｂによって連結されており、連結部７ａ、７ｂは、これらの筐体を開閉自在に支持している。
【００２１】
ディスプレイ側筐体３は、本体側筐体２からの指令に応じて、各種の情報が表示される表示デバイス５と、表示デバイス５の上方に設けられたカメラ６を備えている。本体側筐体２は、その上面に、キーボードおよびトラックポイント（ポインティング・デバイス）等を有する入力部４を備えている。また、本体側筐体２の上面の手前側には、表示デバイス５のカラーキャリブレーションを実行する場合に使用されるカラーセンサ８が設けられている。カラーセンサ８は、ディスプレイ側筐体３が閉じられた状態で表示デバイス５に対向する位置に配置されている。
【００２２】
表示デバイス５のカラーキャリブレーションは、ディスプレイ型筐体３が閉じられた状態で実行され、カラーセンサ８は、表示デバイス５に表示されるカラーパターンを検出する。ディスプレイ側筐体３が閉じられた状態では、カラーセンサ８に外部から光りが入り込まないように、本体側筐体２、ディスプレイ側筐体３、およびカラーセンサ８が構成されている。
【００２３】
本実施の形態では、ディスプレイ側筐体３が閉じられた状態にある場合に、設定されたスケジュールで自動的にカラーキャリブレーション用アプリを起動して、カラーキャリブレーションを実行し、カラーキャリブレーション実行後、省電力状態に移行することにより、ユーザの作業を妨げずに、すなわち、ユーザを煩わせることなく、表示デバイス５のカラーキャリブレーションを実行し、表示デバイス５の適正なカラー表示を維持する。
【００２４】
図２は、図１のノート型ＰＣ１の概略のハードウェア構成例を示す図である。ノート型ＰＣ１は、同図に示すように、ＣＰＵ３１、ＲＯＭ３２、メモリ３３、ＨＤＤ（ハードディスク）３４、表示デバイス５、カメラ６，グラフィックスアダプタ３５、エンベデッドコントローラ３８、入力部４と、電源回路３７、ＬＩＤセンサ４０と、加速度センサ４１と、カラーセンサ８等を備えており、各部はバスを介して直接または間接的に接続されている。
【００２５】
ＣＰＵ３１は、チップセット３９を介してバスに接続されており、ＨＤＤ３４に格納されたＯＳ１によりノート型ＰＣ１全体の制御を行うとともに、ＨＤＤ３４に格納された各種のプログラムに基づいて処理を実行する機能を司る。ＲＯＭ３２は、ＢＩＯＳ（Ｂａｓｉｃ  Ｉｎｐｕｔ／Ｏｕｔｐｕｔ  Ｓｙｓｔｅｍ：基本入出力システム）３２ａやデータ等を格納している。
【００２６】
メモリ３３は、キャッシュメモリやＲＡＭで構成されており、ＣＰＵ３１の実行プログラムの読み込み領域として、実行プログラムの処理データを書き込む作業領域として利用される書き込み可能メモリである。
【００２７】
ＨＤＤ（ハードディスク）３４は、例えば、Ｗｉｎｄｏｗｓ（登録商標）、ＸＰ、Ｖｉｓｔａ、７等のノート型ＰＣ１全体の制御を行うためのＯＳ５１、周辺機器類をハードウェア操作するための表示ドライバ等の各種ドライバ５２、カラーキャリブレーションの自動実行を行うためのキャリブレーション用ユーティリテイプログラム（以下、ユーティリテイプログラムを「ユーティリテイ」と称する）５３、他のユーティリテイ５４、表示デバイス５のカラーキャリブレーションを実行するためのキャリブレーション用アプリケーション５５（以下、アプリケーションプログラムを「アプリ」と称する）、特定業務に向けられた他のアプリ５６等を記憶する機能を有する。
【００２８】
ＯＳ５１は、システム状態（ＡＣＰＩステート）の移行を制御する。システム状態は、６つのステートＳ０〜Ｓ５が規定されており、Ｓ０はフル稼働状態、Ｓ１は低消費電力状態（ただし、プロセッサ、チップセットともに電源オン）、Ｓ２は低消費電力状態（ただし、プロセッサとキャッシュは電源オフ、チップセットは電源オン）、Ｓ３はサスペンド状態、Ｓ４はハイバネーション状態、Ｓ５はソフトウェアによる電源オフを示している。ここで、Ｓ１〜Ｓ４の状態を装置の省電力状態と称する。
【００２９】
グラフィックスアダプタ３５は、ＣＰＵ３１の制御に従って、表示情報をビデオ信号に変換し、変換したビデオ信号を表示デバイス５に出力する。表示デバイス５は、例えば、液晶表示デバイスであり、ＣＰＵ３１の制御に従って、各種情報を表示する機能を有している。
【００３０】
カメラ６は、被写体光を結像するレンズと、ＣＣＤ（Ｃｈａｒｇｅ  Ｃｏｕｐｌｅｄ  Ｄｅｖｉｃｅ）またはＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）センサ等の撮像素子と、撮像素子を駆動するドライバ、Ａ／Ｄ変換器、ＤＳＰ等を備えており、ＣＰＵ３１の制御に従って被写体を撮像して画像データを入力する。
【００３１】
エンベデッドコントローラ３８は、入力部４、電源回路３７、ＬＩＤセンサ４０、加速度センサ４１が接続されており、これらの動作を制御する。エンベデッドコントローラ３８は、ＯＳ５１の指示に応じて、電源回路３７を制御して、システム状態（ＡＣＰＩステート）に応じた電源コントロールを行なう。
【００３２】
入力部４は、ユーザが入力操作を行うためのユーザインターフェースであり、文字、コマンド等を入力する各種キーより構成されるキーボードや、画面上のカーソルを移動させたり、各種メニューを選択するトラックポイント等を備えている。
【００３３】
電源回路３７は、ＡＣアダプタ、インテリジェント電池、インテリジェント電池を充電するための充電器、およびＤＣ／ＤＣコンバータ等を備えている。エンベデットコントローラ３８は、ＯＳ５１の指示に従って、電源回路３７による各デバイスへの電力供給を制御して、システム状態の管理を行う。
【００３４】
ＬＩＤセンサ４０は、本体側筐体２とディスプレイ側筐体３との間の開閉を検出して、検出結果をエンベデッドコントローラ３８に出力する。エンベデットコントローラ３８は、このＬＩＤセンサ４０の検出結果をＣＰＵ３１に出力する。ディスプレイ側筐体３には永久磁石が埋め込まれており、ノート型ＰＣ１が閉じられた状態で、永久磁石は本体側筐体２側に配置されたＬＩＤセンサ４０に接近する。ノート型ＰＣ１が開かれると、永久磁石はＬＩＤセンサ４０から離れる。ＬＩＤセンサ４０は、永久磁石からの磁力を感知することにより、永久磁石が自らに接近しているか否かを検出することができ、そこからノート型ＰＣ１が閉じられた状態か開かれた状態かを知ることができる。
【００３５】
エンベデッドコントローラ３８は、ＣＰＵ３１（ＯＳ５１）の指示に応じて、システム状態がＳ０の場合に、ＬＩＤセンサ４０がディスプレイ側筐体３の閉を検出した場合には、初期設定またはユーザ設定に応じて、システム状態を省電力状態（Ｓ３／Ｓ４）にさせる一方、システム状態が省電力状態（Ｓ３／Ｓ４）の場合に、ＬＩＤセンサ４０がディスプレイ側筐体３の開を検出した場合は、システム状態をＳ０に戻す。ここで、ユーザは、ディスプレイ側筐体３が閉じられた場合に、Ｓ３とＳ４のいずれに移行するかを設定画面（不図示）で設定可能となっている。
【００３６】
加速度センサ４１は、ノート型ＰＣ１に外部から加えられた加速度を測定し、測定結果をエンベデッドコントローラ３８に出力する。エンベデッドコントローラ３８は、加速度センサ４１の測定結果をＣＰＵ３１に出力する。ＣＰＵ３１は、加速度４１の測定結果に基づいて、ノート型ＰＣ１の振動を判断する。
【００３７】
カラーセンサ８は、Ｒ，Ｇ，Ｂセンサで構成されており、また、ＣＰＵ３１によって動作を制御されており、表示デバイス５に表示されるテストパターンのＲ，Ｇ，Ｂ値を検出結果として、チップセット３９を介して、ＣＰＵ３１に出力する。
【００３８】
図３〜図５を参照して、表示デバイス５のカラーキャリブレーションを説明する。図３は、表示デバイス５のカラーキャリブレーションに関するノート型ＰＣ１の概略の機能構成を示す模式図である。図４は、表示デバイス５のカラーキャリブレーションを行う場合のユーザ操作を説明するための説明図である。図５は、表示デバイス５のカラーキャリブレーションの実行タイミングを説明するためのフローである。図５に示すフローは、特に、ＯＳ５１のタイマーで省電力状態（Ｓ３／Ｓ４）からＷａｋｅ  Ｕｐし、カラーキャリブレーションを実行する場合を示している。
【００３９】
図３において、キャリブレーション用アプリ５５は、ディスプレイ側筐体３が閉じられた状態にある場合に、キャリブレーション用ユーティリテイ５３によって起動され、自動的に表示デバイス５のカラーキャリブレーションを実行する。具体的には、キャリブレーション用アプリ５５は、ディスプレイ側筐体３が閉じられた状態で、表示デバイス５にカラーパターンを表示し、このカラーパターンをカラーセンサ８で検出する。キャリブレーション用アプリ５５は、カラーセンサ８の検出結果に基づいて、表示デバイス５のカラーキャリブレーション（色相、彩度、明度、γ等の調整）を行う。
【００４０】
キャリブレーション用ユーティリテイ５３は、タスクトレイに常駐している。キャリブレーション用ユーティリテイ５３は、ディスプレイ側筐体３が閉じられた状態にある場合に、ユーザ設定または初期設定によるキャリブレーションスケジュールに従って、キャリブレーション用アプリ５５を起動して、表示デバイス５のカラーキャリブレーションを実行させる。ユーザは、キャリブレーションスケジュール設定画面（不図示）でキャリブレーションスケジュールを設定可能となっている。
【００４１】
ＯＳ５１は、上述したように、システム状態（ＡＣＰＩステート）の移行を制御しており、Ｓ３，Ｓ４の場合に、所定のイベントでＳ０にＷａｋｅ  Ｕｐして、キャリブレーション用ユーティリテイ５３を起動させる。
【００４２】
図４を参照して、表示デバイス５のカラーキャリブレーションを実行する場合のユーザ操作の一例を説明する。図４において、ユーザが、ノート型ＰＣ１のディスプレイ側筐体３を開いて作業している場合に（例えば、システム状態Ｓ０（１））、ユーザがディスプレイ側筐体３を閉じると、システム状態はＳ３／Ｓ４に移行する（２）。そして、キャリブレーションを実行するタイミングである場合は、システム状態はＳ０に移行し（３）、キャリブレーション用アプリ５５は、表示デバイス５のカラーキャリブレーションを自動実行する（４）。カラーキャリブレーション終了後、システム状態はＳ３／Ｓ４に移行する（５）。その後、ユーザが、ディスプレイ側筐体３を開くと、システム状態がＳ０に移行し（６）、表示デバイス５にキャリブレーション結果が表示される（７）。
【００４３】
図３に示すキャリブレーション用アプリ５５が表示デバイス５のカラーキャリブレーションを実行するタイミングを図５を参照して説明する。
【００４４】
図５において、キャリブレーション用ユーティリテイ５３は、ユーザ設定または初期設定により、キャリブレーションスケジュールが入力される（ステップＳ１）。キャリブレーション用ユーティリテイ５３は、キャリブレーションスケジュールに応じて、ＯＳ５１のＴｉｍｅｒ（Ａ）の設定を指示する（ステップＳ２）。
【００４５】
これに応じて、ＯＳ５１は、Ｗａｋｅ  Ｕｐ  Ｔｉｍｅｒを設定する（ステップＴ１）。ＯＳ５１は、Ｓ３／Ｓ４に移行している場合において（ステップＴ２）、Ｗａｋｅ  Ｕｐ  Ｔｉｍｅｒを設定した時間になると、Ｓ３／Ｓ４からＳ０にＷａｋｅ  Ｕｐする（ステップＴ３）。キャリブレーション用ユーティリテイ５３は、Ｗａｋｅ  Ｕｐ  Ｅｖｅｎｔを取得すると（ステップＳ３）、キャリブレーションスケジュールをチエックし、キャリブレーション実行タイミングであるか否かを判断する（ステップＳ４）。
【００４６】
キャリブレーション実行タイミングである場合には（ステップＳ４の「Ｙｅｓ」）、キャリブレーション用ユーティリテイ５３は、ＬＩＤセンサ４０の検知結果に基づいて、ディスプレイ側筐体３が閉じ状態にあるか否かを判断する（ステップＳ５）。ディスプレイ側筐体３が閉じ状態にない場合には（ステップＳ５の「Ｎｏ」）、ステップＳ１１に移行する。
【００４７】
ディスプレイ側筐体３が閉じ状態にある場合には（ステップＳ５の「Ｙｅｓ」）、キャリブレーション用ユーティリテイ５３は、加速度センサ４１の検出結果に基づいて、ノート型ＰＣ１が振動しているか否かを判断する（ステップＳ６）。ノート型ＰＣ１が振動している場合には（ステップＳ６の「Ｙｅｓ」）、ステップＳ１１に移行する。ノート型ＰＣ１が振動していない場合には（ステップＳ６の「Ｎｏ」）、キャリブレーション用ユーティリテイ５３は、電源状態を判断し（ステップＳ７）、ＡＣ駆動またはバッテリ駆動で充電率が所定量以上に該当しない場合は（ステップＳ７の「ＮＧ」）、ステップＳ１１に移行する。他方、ＡＣ駆動またはバッテリ駆動で充電率が所定量以上に該当する場合は（ステップＳ７の「Ｇｏｏｄ」）、キャリブレーション用ユーティリテイ５３は、キャリブレーション用アプリ５５を起動させる（ステップＳ８）。
【００４８】
キャリブレーション用アプリ５５は、表示デバイス５をウォームアップし（ステップＵ１）、自動モードで表示デバイス５のカラーキャリブレーションを実行する（ステップＵ２）。キャリブレーション用アプリ５５は、キャリブレーションデータを保存し（ステップＵ３）、キャリブレーション結果（ＯＫ／ＦＡＩＬ）を保存した後（ステップＵ４）、自分で閉じる（ステップＵ５）。
【００４９】
一方、キャリブレーション用ユーティリテイ５３は、カラーキャリブレーションの終了を待ち（ステップＳ９）、カラーキャリブレーションが終了した場合には、キャリブレーション終了フラグを設定する（ステップＳ１０）。キャリブレーション用ユーティリテイ５３は、以前のシステム状態（Ｓ３／Ｓ４）に戻るように、ＯＳ５１に指示した後（ステップＳ１１）、Ｉｄｌｅ  Ｓｔａｔｅに移行する。これに応じて、ＯＳ５１は以前のシステム状態に移行する。
【００５０】
他方、上記ステップＳ４で、キャリブレーション用ユーティリテイ５３は、キャリブレーション実行タイミングでない場合には（ステップＳ４の「Ｎｏ」）、キャリブレーション終了フラグを参照して、カラーキャリブレーションが終了したか否かを判断し（ステップＳ１４）、カラーキャリブレーションが終了していない場合には（ステップＳ１４の「Ｎｏ」）、Ｉｄｌｅ  Ｓｔａｔｅに移行する。カラーキャリブレーションが終了している場合には（ステップＳ１４の「Ｙｅｓ」）、キャリブレーション用ユーティリテイ５３は、カラーキャリブレーションの結果をキャリブレーション用アプリ５５から取得して（ステップＳ１５）、カラーキャリブレーション結果のメッセージを表示して（ステップＳ１６）、Ｉｄｌｅ  Ｓｔａｔｅに移行する。カラーキャリブレーション結果は、ディスプレイ側筐体３を再び開いた時に表示される。
【００５１】
また、キャリブレーション用ユーティリテイ５３は、Ｉｄｌｅ  ＳｔａｔｅからＳ３／Ｓ４に移行した場合は（ステップＳ１２）、ＯＳ５１のタイマ（Ｂ）を設定する（ステップＳ１３）。これは、ユーザがディスプレイ側筐体３を閉じたときに、そのまま手に持って移動する場合、すぐにＳ３／Ｓ４に入ることを期待している場合が多いため、一旦、Ｓ３／Ｓ４に入って、所定時間（Ｔｉｍｅｒ（Ｂ）：例えば、５分程度）待ってからＷａｋｅ  Ｕｐしてカラーキャリブレーションを実行する、というように遅延を入れたものである。
【００５２】
実施の形態１によれば、キャリブレーション用アプリ５５は、表示デバイス５にカラーパターンを表示して、カラーセンサ８の当該カラーパターンの検出結果に基づいて、表示デバイス５のカラーキャリブレーションを実行し、キャリブレーション用ユーティリテイ５３は、ディスプレイ側筐体３が閉じられた状態にある場合に、キャリブレーション用アプリ５５を起動して、カラーキャリブレーションを実行させ、ＯＳ５１は、キャリブレーション用アプリ５５のカラーキャリブレーションが終了した場合に、ノート型ＰＣ１を省電力状態に移行させることとしたので、ユーザの作業を中断させる必要がなくなり、ユーザを煩わせることなく、表示デバイスのカラーキャリブレーションを自動的に実行することが可能となる。
【００５３】
また、実施の形態１によれば、キャリブレーション用ユーティリテイ５３は、ディスプレイ側筐体３が閉じられた状態にある場合に、省電力状態から復帰して、設定されたスケジュールでキャリブレーション用アプリ５５を起動して、カラーキャリブレーションを実行させることとしたので、ユーザがノート型ＰＣ１を使用している場合に、休息等でディスプレイ側筐体３を閉じた場合に、表示デバイス５のカラーキャリブレーションを自動的に実行することができ、ユーザが作業を行っていない間に表示デバイス５のカラーキャリブレーションを実行することが可能となる。
【００５４】
また、実施の形態１によれば、キャリブレーション用ユーティリテイ５３は、ノート型ＰＣ１がＡＣ駆動またはバッテリ駆動で充電率が所定量以上の場合に、キャリブレーション用アプリ５５を起動して、カラーキャリブレーションを実行させることとしたので、バッテリ容量が少ない状態でのカラーキャリブレーションの実行による電力消費を防止することが可能となる。
【００５５】
また、実施の形態１によれば、キャリブレーション用ユーティリテイ５３は、ノート型ＰＣ１の振動が検出されない場合に、キャリブレーション用アプリ５５を起動して、カラーキャリブレーションを実行させることとしたので、ユーザがノート型ＰＣ１を持って移動している間にカラーキャリブレーションが実行されるのを防止することができる。
【００５６】
（実施の形態２）
図６〜図７を参照して、実施の形態２に係る表示デバイス５のカラーキャリブレーションを説明する。実施の形態２にかかるノート型ＰＣのハードウェア構成図および機能構成図は、図２および図３と同様であるのでその説明は省略する。
【００５７】
図６は、表示デバイス５のカラーキャリブレーションを行う場合のユーザ操作を説明するための説明図である。図７は表示デバイス６のカラーキャリブレーションの実行タイミングを説明するためのフローである。図７に示すフローは、特に、ディスプレイ側筐体３の閉じをトリガーにして、カラーキャリブレーションを実行する場合を示している。
【００５８】
図６を参照して、表示デバイス５のカラーキャリブレーションを実行する場合のユーザ操作の一例を説明する。図６において、ユーザが、ノート型ＰＣ１のディスプレイ側筐体３を開いて作業している場合に（例えば、システム状態Ｓ０（１））、表示デバイス５のカラーキャリブレーションの実行タイミングである場合には、表示デバイス５に「ディスプレイ側筐体３を閉じた時にカラーキャリブレーションを実行する」旨のメッセージが表示される（２）。これに応じて、ユーザがディスプレイ側筐体３を閉じると、キャリブレーション用アプリ５５は、表示デバイス５のカラーキャリブレーションを自動実行する（３）。カラーキャリブレーションの終了後、システム状態がＳ３／Ｓ４に移行する（４）。その後、ユーザが、ディスプレイ側筐体３を開くと、システム状態がＳ０に移行し（５）、表示デバイス５にキャリブレーション結果が表示される（６）。
【００５９】
図３に示すキャリブレーション用アプリ５５が表示デバイス５のカラーキャリブレーションを実行するタイミングを、図７を参照して説明する。図７において、キャリブレーション用ユーティリテイ５３は、ユーザ操作に応答して、キャリブレーションスケジュールおよびキャリブレーションのトリガーモードを設定する（ステップＳ３２、Ｓ３３）。ユーザは、キャリブレーションスケジュールおよびトリガーモード設定画面で、キャリブレーションスケジュールおよびキャリブレーションのトリガーモードを設定可能となっている。ここで、キャリブレーションスケジュールは、毎晩、毎週等の特定の時間である。キャリブレーションのトリガーモードは、キャリブレーションを実行する場合にトリガーとなる動作または状態で、例えば、ディスプレイ側筐体３の閉じ（ＬＩＤクローズ）であり、ここでは、トリガーモードとして、ディスプレイ側筐体３の閉じ（ＬＩＤクローズ）が設定されている場合について説明する。
【００６０】
ＯＳ５１は、Ｓ３／Ｓ４に移行している場合において（ステップＴ２１）、所定のイベントが発生した場合に、Ｓ３／Ｓ４からＳ０にＷａｋｅ  Ｕｐする（ステップＴ２２）。
【００６１】
キャリブレーション用ユーティリテイ５３は、Ｐｏｗｅｒ  ｏｎやＷａｋｅ  Ｕｐのイベントが発生すると（ステップＳ２１）、キャリブレーションスケジュールをチエックし、キャリブレーション実行タイミングであるか否かを判断する（ステップＳ２２）。
【００６２】
キャリブレーション実行タイミングである場合には（ステップＳ２２の「Ｙｅｓ」）、キャリブレーション用ユーティリテイ５３は、ディスプレイ側筐体３を閉じた時にＳ３／Ｓ４に移行するのを無効とするようにＯＳ５１に指示する。これに応じて、ＯＳ５１は、ディスプレイ側筐体３を閉じた時にＳ３／Ｓ４に移行しない。また、キャリブレーション用ユーティリテイ５３は、”ディスプレイ側筐体３を閉じたときに、表示ディスプレイのカラーキャリブレーションを実行する旨のメッセージ”を表示デバイス５の表示画面に表示する（ステップＳ２３）。
【００６３】
キャリブレーション用ユーティリテイ５３は、ディスプレイ側筐体３が閉じられるのを待ち、ディスプレイ側筐体３が閉じられた場合は（ステップＳ２４）、加速度センサ４１の検出結果に基づいて、ノート型ＰＣ１が振動しているか否かを判断する（ステップＳ２５）。ノート型ＰＣ１が振動している場合には（ステップＳ２５の「Ｙｅｓ」）、ステップＳ３０に移行する。ノート型ＰＣ１が振動していない場合には（ステップＳ２５の「Ｎｏ」）、キャリブレーション用ユーティリテイ５３は、電源状態を判断し（ステップＳ２６）、ＡＣ駆動またはバッテリ駆動で充電率が所定量以上に該当しない場合は（ステップＳ２６の「ＮＧ」）、ステップＳ３０に移行する。他方、ＡＣ駆動またはバッテリ駆動で充電率が所定量以上に該当する場合は（ステップＳ２６の「Ｇｏｏｄ」）、キャリブレーション用ユーティリテイ５３は、キャリブレーション用アプリ５５を起動させる（ステップＳ２７）。
【００６４】
キャリブレーション用アプリ５５は、自動モードで表示デバイス５のカラーキャリブレーションを実行する（ステップＵ２１）。キャリブレーション用アプリ５５は、キャリブレーションデータを保存し（ステップＵ２２）、キャリブレーション結果（ＯＫ／ＦＡＩＬ）を保存した後（ステップＵ２３）、自分で閉じる（ステップＵ２４）。
【００６５】
一方、キャリブレーション用ユーティリテイ５３は、カラーキャリブレーションの終了を待ち（ステップＳ２８）、カラーキャリブレーションが終了した場合には、キャリブレーション終了フラグを設定する（ステップＳ２９）。キャリブレーション用ユーティリテイ５３は、ディスプレイ側筐体３を閉じた時にＳ３／Ｓ４への移行を有効とするようにＯＳ５１に指示する（ステップＳ３０）。これにより、ＯＳ５１は、ディスプレイ側筐体３を閉じた時にＳ３／Ｓ４に移行することが可能となる。キャリブレーション用ユーティリテイ５３は、設定してあるシステム状態（Ｓ３／Ｓ４）に移行するように、ＯＳ５１に指示した後（ステップＳ３１）、Ｉｄｌｅ  Ｓｔａｔｅに移行する。これに応じて、ＯＳ５１は設定してあるシステム状態（Ｓ３／Ｓ４）に移行する。
【００６６】
他方、上記ステップＳ２２で、キャリブレーション用ユーティリテイ５３は、キャリブレーション実行タイミングでない場合には（ステップＳ２２の「Ｎｏ」）、キャリブレーション終了フラグを参照して、カラーキャリブレーションが終了したか否かを判断し（ステップＳ３４）、カラーキャリブレーションが終了していない場合には（ステップＳ３４の「Ｎｏ」）、Ｉｄｌｅ  Ｓｔａｔｅに移行する。カラーキャリブレーションが終了している場合には（ステップＳ３４の「Ｙｅｓ」）、キャリブレーション用ユーティリテイ５３は、カラーキャリブレーションの結果をキャリブレーション用アプリ５５から取得して（ステップＳ３５）、カラーキャリブレーション結果のメッセージを表示し（ステップＳ３６）、Ｉｄｌｅ  Ｓｔａｔｅに移行する。カラーキャリブレーション結果は、ディスプレイ側筐体３を再び開いた時に表示される。
【００６７】
実施の形態２によれば、キャリブレーション用ユーティリテイ５３は、ユーザによりディスプレイ側筐体３が閉じられた際に、キャリブレーション用アプリ５５を起動して、カラーキャリブレーションを実行させることとしたので、ユーザがディスプレイ側筐体３を閉じた後に直ちに自動的にカラーキャリブレーションを行い、その後、省電力状態に移行することが可能となる。
【００６８】
なお、上記実施の形態１，２では、表示デバイス５に表示されるカラーパターンの検出にカラーセンサ８を使用しているが、本発明はこれに限られるものではなく、カメラ等の他のカラー検出手段を使用することにしてもよい。なお、上記実施の形態１，２では、ディスプレイ側筐体３が閉じられたときに、Ｓ３／Ｓ４に移行することとしたが、本発明はこれに限られるものではなく、他の省電力状態（Ｓ１，Ｓ２）に移行することにしてもよい。また、上記した実施の形態では、情報処理装置として、ノート型ＰＣを例示して説明したが、本発明はこれに限られるものではなく、ＰＤＡ、携帯電話等の他の情報処理装置に適用可能である。
【産業上の利用可能性】
【００６９】
本発明に係る情報処理装置、キャリブレーション方法、およびコンピュータが実行可能なプログラムは、開閉型の情報処理装置に広く適用可能である。
【符号の説明】
【００７０】
１  ノート型ＰＣ
２  本体側筐体
３  ディスプレイ側筐体
４  入力部
５  表示デバイス
６  カメラ
７ａ、７ｂ  連結部（ヒンジ）
３１  ＣＰＵ
３２  ＲＯＭ
３２ａ  ＢＩＯＳ
３３  メモリ
３４  ＨＤＤ（ハードディスク）
３４ｂ  アプリケーションプログラム
３５  グラフィックスアダプタ
３７  電源回路
３８  エンベデッドコントローラ
３９  チップセット
４０  ＬＩＤセンサ
４１  加速度センサ
４２  カラーセンサ
５１  ＯＳ
５２  ドライバ
５３  キャリブレーション用ユーティリテイ
５４  他のユーティリテイ
５４  キャリブレーション用アプリ
５５  他のアプリ
【図１】
0005432005.tif 000002
【図２】
0005432005.tif 000003
【図３】
0005432005.tif 000004
【図４】
0005432005.tif 000005
【図５】
0005432005.tif 000006
【図６】
0005432005.tif 000007
【図７】
0005432005.tif 000008